(57)【要約】【課題】比較的簡単な構成で動画ボケの抑制を図る。【解決手段】画像を表示する画像表示システムである。表示画面上に表示対象画像を表示するための対象画像表示用画像表示装置と、前記表示画面上に表示される前記表示対象画像を表す表示画像がユーザによって視認される際に発生する動画ボケを抑制するための動画ボケ抑制画像を、前記表示画像に重なるように、前記表示画面上に投写表示するための動画ボケ抑制画像表示用プロジェクタと、を備える。【選択図】図１
2008116871.tif 000002
【特許請求の範囲】
【請求項１】
画像を表示する画像表示システムであって、
表示画面上に表示対象画像を表示するための対象画像表示用画像表示装置と、
前記表示画面上に表示される前記表示対象画像を表す表示画像がユーザによって視認される際に発生する動画ボケを抑制するための動画ボケ抑制画像を、前記表示画像に重なるように、前記表示画面上に投写表示するための動画ボケ抑制画像表示用プロジェクタと、
を備えることを特徴とする画像表示システム。
【請求項２】
請求項１記載の画像表示システムであって、
前記動画ボケ抑制画像は、１フレームまたは１フィールドの期間において、前記表示画面の水平方向に沿って長い帯状の暗画像領域の位置が、前記表示画面の垂直方向に沿って順に変化する画像である
ことを特徴とする画像表示システム。
【請求項３】
請求項１記載の画像表示システムであって、
前記動画ボケ抑制画像は、１フレームまたは１フィールド期間中の一部の期間において画像全体が暗画像領域に変化し、他の期間において画像全体が明画像領域に変化する画像である
ことを特徴とする画像表示システム。
【請求項４】
請求項２または請求項３記載の画像表示システムであって、
前記暗画像領域の暗レベルは、前記表示対象画像の明るさに応じて決定される
ことを特徴とする画像表示システム。
【請求項５】
画像を表示する画像表示方法であって、
表示画面上に表示対象画像を表示し、
前記表示画面上に表示される前記表示対象画像を表す表示画像がユーザによって視認される際に発生する動画ボケを抑制するための動画ボケ抑制画像を、前記表示画像に重なるように、前記表示画面上に投写表示する、
ことを特徴とする画像表示方法。
【請求項６】
表示画面上に画像を表示する画像表示システムに用いられ、前記表示画面上に表示される表示対象画像を表す表示画像が視認される際に発生する動画ボケを抑制するためのプロジェクタであって、
前記動画ボケを抑制するための動画ボケ抑制画像を、前記表示画像に重なるように、前記表示画面上に投写する
ことを特徴とするプロジェクタ。
【発明の詳細な説明】
【技術分野】
【０００１】
この発明は、ホールド型の電気光学特性を有する表示デバイスを用いた画像表示装置で動画像を表示した場合に発生する動画像のボケを改善するための技術に関する。
【背景技術】
【０００２】
表示デバイスとして液晶パネルを用いた画像表示装置の普及が進んでいる。しかしながら、この液晶パネルを用いた画像表示装置で動画像を表示する場合、動きのある物体の輪郭のボケやゴーストが発生するという問題がある。なお、以下では、これら物体の輪郭のボケやゴーストを、まとめて「動画ボケ」と呼ぶ。
【０００３】
上記のような動画ボケの発生の理由は、主に、液晶パネルの各画素がホールド型の電気光学特性を有する素子で構成されるホールド型表示デバイスであるという点にある。このため、各液晶画素に与えられる画像データの表す信号周波数の特性は、高域での応答特性が低下する低域通過型の時間周波数特性を有し、表示される各画素の輝度が、画像信号の１フレーム期間（あるいは１フィールド期間）の間保持される。この結果、次のフレームになっても、人間の視覚特性により、前フレームの記憶が残っているため、前後のフレームの画像の双方が重ね合わせて認識されてしまい、動画ボケが生じてしまう。
【０００４】
このような動画ボケを抑制する手法として、各画素について、１フレーム期間内に画像の表示が制限される期間を設けて、前フレームの画像の記憶を消去し、ＣＲＴのようなインパルス型の表示デバイスと同様な動作を擬似的に実現する手法が種々考えられている（例えば、特許文献１〜６参照。）。
【０００５】
【特許文献１】特開平４−３０２２８９号公報
【特許文献２】特開２００５−４３８２９号公報
【特許文献３】特開２００５−１０５７９号公報
【特許文献４】特開２００３−１８６４５６号公報
【特許文献５】特開２００１−４２２８２号公報
【特許文献６】特開２００４−２７１７１９号公報
【発明の開示】
【発明が解決しようとする課題】
【０００６】
しかしながら、上記特許文献のいずれに記載の技術も、動画ボケの抑制効果はあるが、１フレーム期間内に画像が表示されない期間を設けるための種々の処理を実行する複雑な回路を、画像処理回路や液晶パネルの駆動回路等により実現される仕組みを備えることにより可能となるものである。従って、上記種々の動画ボケを抑制するための仕組みを備えていない画像表示装置では、動画ボケを抑制した画像表示を実現することはできない。
【０００７】
なお、動画ボケの問題は、液晶パネル（ＬＣＤ）のみならず、プラズマディスプレイパネル（ＰＤＰ）、エレクトロルミネセンスディスプレイパネル（ＥＬ）、デジタルマイクロミラーデバイス（ＤＭＤ，テキサスインスツルメンツ社の商標）等の種々のホールド型表示デバイスを用いた画像表示装置においても発生し、上記特許文献の手法により改善は可能であるが、そのためには、画像表示装置内に複雑な仕組みを備える必要がある、という問題点を有している点で共通する。
【０００８】
この発明は、従来技術における上述の課題を解決するためになされたものであり、比較的簡単な構成で動画ボケの抑制を図ることが可能であり、また、動画ボケ抑制機能を有していない画像表示装置に対しても有効な技術を提供することを目的とする。
【課題を解決するための手段】
【０００９】
上述の課題の少なくとも一部を解決するために、本発明の画像表示システムは、
画像を表示する画像表示システムであって、
表示画面上に表示対象画像を表示するための表示対象画像表示用画像表示装置と、
前記表示画面上に表示される前記表示対象画像を表す表示画像がユーザによって視認される際に発生する動画ボケを抑制するための動画ボケ抑制画像を、前記表示画像に重なるように、前記表示画面上に投写表示するための動画ボケ抑制画像表示用プロジェクタと、
を備えることを特徴とする。
【００１０】
上記画像表示システムでは、表示対象画像表示装置によって表示画面上に表示される表示対象画像を表す表示画像に対し、動画ボケ抑制画像表示用プロジェクタによって、表示画像がユーザによって視認される際に発生する動画ボケを抑制するための動画ボケ抑制画像を、表示画像に重なるように投写することによって、動画ボケを抑制することが可能となる。これにより、従来のように、画像表示装置内に複雑な仕組みを備える必要がなく、比較的簡単な構成で動画ボケの抑制を図ることが可能である。また、動画ボケ抑制機能を有していない画像表示装置でも、動画ボケを抑制した画像を表示することが可能となる。
【００１１】
前記動画ボケ抑制画像は、１フレームまたは１フィールドの期間において、前記表示画面の水平方向に沿って長い帯状の暗画像領域の位置が、前記表示画面の垂直方向に沿って順に変化する画像であることが好ましい。
【００１２】
あるいは、前記動画ボケ抑制画像は、１フレームまたは１フィールド期間中の一部の期間において画像全体が暗画像領域に変化し、他の期間において画像全体が明画像領域に変化する画像であることが好ましい。
【００１３】
上記動画ボケ抑制画像を表示画像に重ねて投写表示することにより、動画ボケを抑制することが可能となる。
【００１４】
なお、前記暗画像領域の暗レベルは、前記表示対象画像の明るさに応じて決定されることが好ましい。
【００１５】
暗画像領域の暗レベルを、表示対象画像の明るさに応じて決定すれば、動画ボケの抑制のために発生する表示画像の明るさの低下を抑制しつつ、動画ボケを抑制することが可能となる。
【００１６】
なお、本発明は、上記画像表示システムとしての態様のほか、動画ボケを抑制するためのプロジェクタとしての態様で実現することも可能である。また、これら装置発明の態様に限ることなく、画像表示方法のような方法発明の態様で実現することも可能である。なお、方法発明の態様においても、先に示した種々の付加的要素を適用することが可能である。
【発明を実施するための最良の形態】
【００１７】
以下、本発明の実施の形態を実施例に基づいて以下の順序で説明する。
Ａ．画像表示システムの概要：
Ｂ．動画ボケ抑制用プロジェクタの構成および動画ボケ抑制画像表示動作：
Ｃ．効果：
Ｄ．変形例：
【００１８】
Ａ．画像表示システムの概要：
図１は、本発明の一実施例としての画像表示システム１０００Ａの構成を示す説明図である。この画像表示システム１０００Ａは、表示させたい画像（以下、「表示対象画像」と呼ぶ。）を投写面ＳＣ上に投写表示する表示対象画像表示用プロジェクタ１００と、投写面ＳＣ上に投写表示された表示対象画像を表す表示画像ＤＰに重ねて、動画ボケ抑制画像ＤＢを投写表示する動画ボケ抑制画像表示用プロジェクタ２００と、これら２つのプロジェクタに表示対象画像を表す表示対象画像信号を供給する画像供給装置ＰＳとを備えている。これら２つのプロジェクタは、ライトバルブとして液晶パネルによる液晶ライトバルブを用いた、いわゆる液晶プロジェクタである。
【００１９】
そして、この画像表示システム１０００Ａは、表示対象画像表示用プロジェクタ１００が投写表示した表示画像ＤＰに、動画ボケ抑制画像表示用プロジェクタ２００によって動画ボケ抑制画像ＤＢを重ねて投写表示することによって、表示画像ＤＰのみを投写表示した場合に発生する動画ボケを抑制する。
【００２０】
図２は、画像表示システム１０００Ａによる画像の表示動作について示す説明図であり、画像供給装置ＰＳから供給される表示対象画像信号のうち、Ｎフレーム目（Ｎは１以上の整数）の期間の表示対象画像信号の表す表示対象画像ＦＰＴが、表示対象画像表示用プロジェクタ１００によって表示される場合を例に示している。なお、図２（ａ）は表示対象画像ＦＰＴを示し、図２（ｂ）は表示対象画像表示用プロジェクタ１００によって投写表示される表示対象画像を表す表示画像ＤＰを示し、図２（Ｃ）は動画ボケ抑制画像表示用プロジェクタ２００によって投写表示される動画ボケ抑制画像ＤＢを示し、図２（ｄ）は表示画像ＤＰと動画ボケ抑制画像ＤＢとが重ね合わされた合成表示画像ＭＤＰを示している。なお、説明を容易にするため、表示対象画像表示用プロジェクタ１００の液晶ライトバルブの画素のライン数（行数）を「６」とし、動画ボケ抑制画像表示用プロジェクタ２００の液晶ライトバルブの画素のライン数（行数）を「３」として説明することとする。
【００２１】
表示対象画像表示用プロジェクタ１００では、１フレームの期間内において、図示しない液晶ライトバルブの垂直方向（行方向）の各行ごとに、順にそれぞれ対応する画像データが書き込まれ、図２（ｂ）に示すように、行単位で変化する６段階の画像データに対応する表示画像ＤＰ［Ｎ（１）］，ＤＰ［Ｎ（２）］，・・・ＤＰ［Ｎ（６）］が投写表示される。
【００２２】
動画ボケ抑制画像表示用プロジェクタ２００では、上記表示対象画像表示用プロジェクタ１００の液晶ライトバルブにおいて画像データの書き換えが行われている画素に重ね合わされる画素に対応する、図示しない液晶ライトバルブの行に暗画像データが書き込まれ、他の行に明画像データが書き込まれて、図２（ｃ）に示すように、水平方向に長い帯状（ベルト状）の暗画像領域（図中クロスハッチングで示す領域）が、６段階の表示画像ＤＰの変化に応じて、垂直方向に沿って順に変化する動画ボケ抑制画像ＤＢ（１），ＤＢ（２），・・・ＤＢ（６）が、投写表示される。なお、本例では、説明を容易にするため、表示対象画像表示用プロジェクタ１００の液晶ライトバルブの行数は「６行」であり、動画ボケ抑制画像表示用プロジェクタ２００の液晶ライトバルブの行数は「３行」としており、動画ボケ抑制画像表示用プロジェクタ２００の液晶ライトバルブの１行は、表示対象画像表示用プロジェクタ１００の液晶ライトバルブの２行に対応しているので、６段階の動画ボケ抑制画像ＤＢ（１）〜ＤＢ（６）のうち、２，４，６段階の動画ボケ抑制画像ＤＢ（２），ＤＢ（４），ＤＢ（６）は、１，３，５段階目の動画ボケ抑制画像ＤＢ（１），ＤＢ（３），ＤＢ（５）と同じである。
【００２３】
そして、図２（ｄ）に示すように、６段階で変化する表示画像ＤＰと、この変化に応じて６段階（本例では、実際には３段階）に変化する動画ボケ抑制画像ＤＢとが、投写面ＳＣ上で重ね合わされて、合成表示画像ＭＤＰが表示される。このとき、各段階の合成表示画像ＭＤＰにおいて、動画ボケ抑制画像ＤＢのベルト状の暗画像領域（図２（ｃ）のクロスハッチングで示す領域）の部分に対応する画像は、他の領域の動画ぼけ抑制画像ＤＢの明画像領域の部分に対応する画像に比べて、相対的に暗くなる。これにより、表示画像ＤＰのうち、書き換えが行われている行について、書き換えが行われる前に表示していた画像についての視覚的な記憶をキャンセルし、従来技術で説明した動画ボケを抑制することが可能となる。
【００２４】
Ｂ．動画ボケ抑制用プロジェクタの構成および動画ボケ抑制画像表示動作：
図３は、表示対象画像表示用プロジェクタ１００および動画ボケ抑制画像表示用プロジェクタ２００の構成を示す説明図である。
【００２５】
表示対象画像表示用プロジェクタ１００は、通常のプロジェクタであり、画像処理部１１０と、投写表示部１２０と、これら画像処理部１１０および投写表示部１２０の動作を全体的に制御する制御部１３０と、で構成されている。
【００２６】
表示対象画像表示用プロジェクタ１００では、フレーム周期で入力される各フレームの表示対象画像を表す表示対象画像信号が、画像処理部１１０によって投写表示部１２０で利用可能な画像信号（表示画像信号）に変換処理されて、投写表示部１２０に供給されることにより、投写表示部１２０によって、表示画像信号の表す画像（表示画像ＤＰ）が投写面ＳＣ上に投写表示される。
【００２７】
一方、動画ボケ抑制画像表示用プロジェクタ２００は、表示タイミング生成部２１０と、暗レベル決定部２２０と、動画ボケ抑制画像生成部２３０と、投写表示部２４０と、これら表示タイミング生成部２１０、暗レベル決定部２２０、動画ボケ抑制画像生成部２３０、および投写表示部２４０の動作を全体的に制御する制御部２５０と、を備えている。
【００２８】
表示タイミング生成部２１０は、動画ボケ抑制画像生成部２３０および投写表示部２４０の動作を制御するために、表示対象画像表示用プロジェクタ１００と同様に入力される表示対象画像信号に含まれる同期信号に基づいて、水平同期信号、垂直同期信号、クロック信号、および、画像生成開始タイミング等の表示タイミング信号を生成する。
【００２９】
暗レベル決定部２２０は、後述するように、動画ボケ抑制画像に含まれる暗画像領域を表す暗画像データの輝度レベル（暗レベル）を決定する。
【００３０】
動画ボケ抑制画像生成部２３０は、表示タイミング生成部２１０から供給される表示タイミング信号に従って、図２で説明したような動画ボケ抑制画像を生成し、生成した動画ボケ抑制画像を表す画像信号（動画ボケ抑制画像信号）を投写表示部２４０に供給する。
【００３１】
投写表示部２４０は、動画ボケ抑制画像生成部２３０から供給される動画ボケ抑制画像信号の表す画像（動画ボケ抑制画像）を順次投写面ＳＣ上に投写表示する。
【００３２】
図４は、動画ボケ抑制画像表示用プロジェクタ２００で実行される動画ボケ抑制画像の表示手順について示す説明図である。
【００３３】
動画ボケ抑制画像表示用プロジェクタ２００は、表示動作を終了する（ステップＳ５０：ＹＥＳ）まで、ステップＳ１０〜ステップＳ４０の処理を繰り返し実行することにより、動画ボケ抑制画像の表示を実行する。なお、この表示動作の前提として、動画ボケ抑制画像表示用プロジェクタ２００によって投写面ＳＣ上に投写表示される動画ボケ抑制画像の画面は、あおり投写による画像の歪がなく、かつ、表示対象画像表示用プロジェクタ１００によって投写面ＳＣ上に投写表示される表示画像の画面に、少なくとも重なるように調整されていることとする。また、図２で説明したように、表示画像ＤＰの表示と動画ボケ抑制画像ＤＢの表示のタイミングを合わせる必要があるが、この表示のタイミングは、例えば、投写表示される画像を確認しがら、表示対象画像信号の同期信号の同期タイミングに対するずれ量を制御部２５０によって変更することにより、適切なタイミングに調整することができる。なお、この画面の調整は、従来から通常のプロジェクタに搭載されている画面サイズおよび歪調整機能によって実現される。
【００３４】
まず、ステップＳ１０では、表示タイミング生成部２１０が、表示対象画像信号に含まれる同期信号（垂直同期信号および水平同期信号）に基づいて、各フレームの切り換えタイミングを検出し、暗レベル決定部２２０に対して暗レベルの決定を指示するとともに、上記した表示タイミング信号を生成する。
【００３５】
そして、ステップＳ２０では、暗レベル決定部２２０が、上記フレーム切り換えタイミングから次のフレーム切り換えタイミングまでの１フレームの期間に、入力される表示対象画像信号の表す画像（表示対象画像）に基づいて、動画ボケ抑制画像の暗画像領域の暗レベルを決定する。
【００３６】
また、ステップＳ３０では、動画ぼけ抑制画像生成部２３０が、暗レベル決定部２２０で決定された暗レベルを暗画像領域の暗画像データの輝度レベルとして利用して、動画ボケ抑制画像を生成する。
【００３７】
なお、処理の説明上、ステップＳ２０における暗レベルの決定処理と、ステップＳ３０における動画ボケ抑制画像生成処理とを、順番に実行される処理として示したが、それぞれの処理は、表示タイミング生成部２１０で生成される表示タイミング信号に同期して、平行して実行される処理である。
【００３８】
そして、ステップＳ４０では、投写表示部２４０が、動画ボケ抑制画像生成部２３０から供給される表示画像信号（動画ボケ抑制画像信号）の表す画像（動画ボケ抑制画像）を投写面ＳＣ上に投写表示する。
【００３９】
図５は、暗レベル決定部２２０で実行される暗レベルの決定手順について示す説明図である。
【００４０】
まず、ステップＳ２２では、入力される表示対象画像信号の表すフレーム（現入力フレームと呼び、Ｎフレームとする。）の表示対象画像の明るさＷＬ（Ｎ）を求める。この明るさＷＬとしては、種々の明るさを利用することができる。例えば、各画素の平均輝度を利用することができる。また、動画像中の注目される画像は、画面の中心付近に集中することが一般的であるので、画面の中心付近の画素の平均輝度を利用することもできる。さらに、また、前フレームと比較して、動きのある領域を検出し、その領域の平均輝度を利用することもできる。また、平均輝度のみではなく、最大輝度や最小輝度を利用することもできる。さらには、平均輝度や最大輝度、最小輝度を２以上組み合わせて利用することもできる。
【００４１】
そして、ステップＳ２４では、明るさＷＬ（Ｎ）に対応する暗レベルＢＬを求めることにより、次の入力フレーム（Ｎ＋１フレーム）の表示対象画像に対応する動画ボケ抑制画像の暗画像領域を示す暗画像データの暗レベルを決定する。
【００４２】
図６は、表示対象画像の明るさＷＬに対応する暗レベルＢＬについて示す説明図である。表示対象画像が暗いシーンの画像である場合には、暗レベルとしてそれほど暗いレベルにしなくても、十分動画ボケを抑制可能である。また、暗レベルとしてはできる限り明るいレベルとした方が、画面全体の明るさを確保することができるので好ましい。一方、表示対象画像が明るいシーンの画像である場合には、暗レベルとしてはできる限り暗いレベルとしないと、動画ボケの抑制効果を得ることができない。そこで、表示対象画像の明るさに応じて暗レベルを変えることで、画面の明るさを必要以上に暗くすることなく、動画ボケを抑制することができる。
【００４３】
図６の例では、最低平均輝度Ｙｍｉｎ〜最大平均輝度Ｙｍａｘまでの領域をＡ（明）領域、Ｂ（中間）領域、Ｃ（暗）領域の３つの領域に区分し、表示対象画像の明るさＷＬがいずれの領域に区分されるかに応じて、暗レベルＢＬを決定する場合を示している。具体的には、Ａ領域ならば、表示対象画像の明るさＷＬが明るいので、暗レベルＢＬを最小輝度レベルＰＹｍｉｎとし、Ｂ領域ならば、表示対象画像の明るさＷＬが中間の明るさなので、暗レベルＢＬを最小輝度レベルＰＹｍｉｎよりも少し明るいＰＹ１（＝０．１・ＰＹｍａｘ）とし、Ｃ領域ならば、表示対象画像の明るさＷＬが暗いので、暗レベルＢＬをＰＹ１よりもさらに明るいＰＹ２（＝０．３・ＰＹｍａｘ）としている。なお、ＰＹ１およびＰＹ２のレベルとしては、ＰＹｍｉｎ〜ＰＹｍａｘまでの範囲の中で、あらかじめ適切な値を実験等によって求めて設定すればよい。
【００４４】
ここで、上記したように、動画ぼけ抑制画像生成部２３０で暗画像データの輝度レベルとして利用される暗レベルは、実際に表示される現フレームの表示対象画像の明るさＷＬ（Ｎ）に応じた暗レベルではなく、前フレームの表示対象画像の明るさＷＬ（Ｎ−１）に応じた暗レベルである。従って、表示対象画像表示用プロジェクタ１００によって現フレームの表示対象画像が投写表示される際に、動画ボケ抑制画像表示用プロジェクタ２００によって表示画像ＤＰに重ね合わせて投写表示される動画ボケ抑制画像ＤＢは、厳密には前フレームの表示対象画像に適した暗レベルを利用したものとなる。しかしながら、動画像の明るさが前フレームと現フレームで急激に変化する可能性は低く、実質的には問題がない。
【００４５】
なお、現フレームの表示対象画像が投写表示される際に、現フレームの表示対象画像の明るさに基づいて求めた暗レベルを用いて、表示画像ＤＰに重ね合わせて投写表示する動画ボケ抑制画像を生成するためには、例えば、表示対象画像表示用プロジェクタ１００において、表示タイミングを１フレーム遅らせる仕組みを設けることにより実現可能である。例えば、図３に示した表示対象画像表示用プロジェクタ１００に含まれる画像処理部１１０中に１フレームの期間だけ表示を遅延するための遅延バッファ回路を備えることにより、容易に実現できる。
【００４６】
Ｃ．効果：
上記画像表示システム１０００Ａでは、表示対象画像表示用プロジェクタ１００によって表示対象画像が表示画像ＤＰとして投写表示される際に、動画ボケ抑制画像表示用プロジェクタ２００によって、水平方向に長いベルト状の暗画像領域の位置が、１フレームの期間中に垂直方向に沿って順に変化する動画ボケ抑制画像ＤＢが、投写面ＳＣ上に投写表示される表示画面ＤＰに対して重ね合わされて投写表示される。表示画像ＤＰのうち、書き換えが行われている行について、書き換えが行われる前に表示していた画像についての視覚的な記憶をキャンセルし、従来技術で説明した動画ボケを抑制することが可能となる。
【００４７】
特に、上記画像表示システム１０００Ａでは、表示対象画像を投写表示するプロジェクタは、従来のプロジェクタをそのまま利用することができ、動画ボケを抑制するための特別な仕組みを備えていないプロジェクタであっても、動画ボケを抑制した画像を表示することが可能となる。
【００４８】
また、動画ボケ抑制画像表示用プロジェクタ２００は、表示対象画像表示用プロジェクタ１００とは異なり、１フレームの期間中に、水平方向に長いベルト状の暗画像領域が垂直方向に順に変化する画像を投写表示すればよく、表示対象画像表示用プロジェクタ１００が投写表示する表示対象画像のような高解像度の画像表示は必要がない。このため、動画ボケ抑制画像表示用プロジェクタ２００は、比較的解像度の低い液晶パネルをライトバルブとして用いることができ、簡単で安価な構成とすることができる。従って、簡単で安価な構成で、動画ボケを抑制する仕組みを実現することが可能となる。
【００４９】
Ｄ．変形例：
なお、この発明は上記の実施例や実施形態に限られるものではなく、その要旨を逸脱しない範囲において種々の態様において実施することが可能である。
【００５０】
Ｄ１．変形例１：
上記実施例では、説明を容易にするために、表示対象画像表示用プロジェクタ１００の液晶ライトバルブを６行の液晶パネル、動画ボケ抑制画像表示用プロジェクタ２００の液晶ライトバルブを３行の液晶パネルとし、１行の高さを有するベルト状の暗画像領域が垂直方向に順に変化する動画ボケ抑制画像を例に説明したが、これに限定されるものではなく、複数行の高さを有するベルト状の暗画像領域としてもよい。この暗画像領域の高さは、あらかじめ、制御部２５０から動画ボケ抑制画像生成部２３０に設定されており、制御部２５０に備えられる調整機能を動作させることにより、ユーザが表示される画像を確認しながら、動画ボケ抑制効果が適切に得られるような暗画像領域の高さを調整して決定することができる。
【００５１】
Ｄ２．変形例２：
上記実施例では、図２を用いて説明したように、投写面ＳＣ上に投写表示される表示対象画像に対応する表示画面ＤＰに対して、動画ボケ抑制画像表示用プロジェクタ２００によって、水平方向に長いベルト状の暗画像領域の位置が、１フレームの期間中に垂直方向に沿って順に変化する動画ボケ抑制画像ＤＢが重ね合わされて投写表示される場合を例に示した。
【００５２】
しかしながら、動画ボケ抑制画像としては実施例に限定されるものではなく、例えば、図７に示すように、１フレームの期間を通常表示期間と暗表示期間とに区分し、暗表示期間では、表示対象画像の明るさから決定される暗レベルの輝度を有する暗画像を表示し、通常表示期間では、暗レベルの輝度よりも高い輝度レベルの輝度、例えば、最大レベルの輝度、を有する明画像を表示するようにしてもよい。
【００５３】
Ｄ３．変形例３：
上記実施例では、フレーム単位で画像信号が入力される場合を例に説明したが、フィールド単位で画像信号が入力される場合も全く同様である。
【００５４】
Ｄ４．変形例４：
上記実施例の表示対象画像表示用プロジェクタ１００は、液晶ライトバルブを用いたプロジェクタを例に説明したが、デジタルマイクロミラーデバイス（ＤＭＤ）を用いたプロジェクタであってもよい。
【００５５】
Ｄ５．変形例５：
上記実施例の画像表示システム１０００Ａでは、表示対象画像表示用プロジェクタ１００が投写表示した表示画像ＤＰに、動画ボケ抑制画像表示用プロジェクタ２００が動画ボケ抑制画像ＤＢを重ね合わせて投写表示する場合を例に説明したが、これに限定されるものではない。例えば、図８に示す画像表示システム１０００Ｂのように、ＬＣＤ，ＰＤＰ，ＥＬ等のホールド型表示デバイスを用いた直視型の画像表示装置１００Ｂの表示画面ＤＤ上に、動画ボケ抑制画像表示用プロジェクタ２００が動画ボケ抑制画像ＤＢを重ね合わせて投写表示するようにしてもよい。
【図面の簡単な説明】
【００５６】
【図１】本発明の一実施例としての画像表示システム１０００Ａの構成を示す説明図である。
【図２】画像表示システム１０００Ａによる画像の表示動作について示す説明図である。
【図３】表示対象画像表示用プロジェクタ１００および動画ボケ抑制画像表示用プロジェクタ２００の構成を示す説明図である。
【図４】動画ボケ抑制画像表示用プロジェクタ２００で実行される動画ボケ抑制画像の表示手順について示す説明図である。
【図５】暗レベル決定部２２０で実行される暗レベルの決定手順について示す説明図である。
【図６】明るさＷＬに対応する暗レベルＢＬについて示す説明図である。
【図７】動画ボケ抑制画像の変形例について示す説明図である。
【図８】画像表示システムの変形例について示す説明図である。
【符号の説明】
【００５７】
１０００Ａ…画像表示システム
１０００Ｂ…画像表示システム
１００…対象画像表示用プロジェクタ
１００Ｂ…画像表示装置
１１０…画像処理部
１２０…投写表示部
１３０…制御部
２００…動画ボケ抑制画像表示用プロジェクタ
２１０…表示タイミング生成部
２２０…暗レベル決定部
２３０…動画ボケ抑制画像生成部
２４０…投写表示部
２５０…制御部
ＰＳ…画像供給装置
ＳＣ…投写面
【図１】
2008116871.tif 000003
【図２】
2008116871.tif 000004
【図３】
2008116871.tif 000005
【図４】
2008116871.tif 000006
【図５】
2008116871.tif 000007
【図６】
2008116871.tif 000008
【図７】
2008116871.tif 000009
【図８】
2008116871.tif 000010